(57)【要約】【課題】少なくとも１つの送信側実体と１つの受信側実体とを含み、その間で同じリンクがサービス品質の異なるいくつかのトランスポートチャネルを送信する電気通信システムを構成する方法を提供する。【解決手段】送信側実体は別個のサービス品質を有する異なるコード化トランスポートチャネル間で速度を一致させ、そこで異なるコード化トランスポートチャネルは多重化される。各トランスポートチャネルに特有の一致速度は、予想されるＥｂ／Ｉ比を表わす少なくとも１つの第１のパラメータ（ＲＭi）と物理チャネルの能力を表わす第２のパラメータ（Ｎdata）とから定められる。モバイルテレフォニネットワークへの応用である。【選択図】図３
2010081643.tif 000002
【特許請求の範囲】
【請求項１】
電気通信システムを構成する方法であって、少なくとも１つの送信側実体と少なくとも１つの受信側実体とを含み、前記送信側および受信側実体は、少なくとも１つの物理チャネル（ＤＰＤＣＨ）上で移送されるデータの送信のためのステップを実現しており、前記少なくとも１つの物理チャネル（ＤＰＤＣＨ）は、形成中のトランスポートチャネル複合体（ＣＣＴｒＣＨ）を送信し、かつ前記少なくとも１つの物理チャネル（ＤＰＤＣＨ）によりもたらされるそれ自体の最大物理速度（Ｎdata）を有し、前記トランスポートチャネル複合体（ＣＣＴｒＣＨ）は少なくとも２つのトランスポートチャネル（１からＴ）を含み、前記データ送信ステップの前に、前記トランスポートチャネル（１からＴ）の各々に対するデータ処理手順が先行し、前記データ処理手順は少なくとも１つの速度一致ステップを含み、前記速度一致ステップは、前記速度一致ステップ以前の記号の数（Ｎk）を前記速度一致ステップ後の記号の数（Ｎk＋ΔＮk）に変換し、前記速度一致ステップ後の記号の前記数（Ｎk＋ΔＮk）は、前記速度一致ステップ以前の記号の前記数（Ｎk）を前記少なくとも２つのトランスポートチャネルの各々（ｉ）に特有の速度一致比（ＲＦi）で乗算することによって近似的に得られ、トランスポートチャネル（１からＴ）の前記複合体（ＣＣＴｒＣＨ）は、前記処理手順に共通の期間にわたっての前記処理手順における対応する速度一致ステップの後のトランスポートチャネルにおける記号の数（（Ｎk＋ΔＮk）／Ｆi）の代数和にほぼ等しい記号の数（Ｄ（ｌ））を有しており、
前記方法は以下の連続したステップ、すなわち
−前記実体のうちの少なくとも１つから、
−前記処理手順の各々に対し、速度一致に関連する第１のパラメータ（ＲＭi）を定めるステップを含み、前記第１のパラメータは前記速度一致比（ＲＦi）に比例しており、さらに
−すべての前記処理手順に対し、前記最大物理速度を表わす第２のパラメータ（Ｎdata）を定めるステップと、
−定められた前記第１（ＲＭi）および第２（Ｎdata）のパラメータのための、第１の実体と称する前記実体のうちの少なくとも１つから第２の実体と称する前記実体の別のものへの送信ステップと、
−得られるトランスポートチャネル（１からＴ）の前記複合体（ＣＣＴｒＣＨ）の最大速度が前記少なくとも１つの物理チャネル（ＤＰＤＣＨ）の前記最大物理速度（Ｎdata）のオーバシュートを生じない態様で、前記第１（ＲＭi）および第２（Ｎdata）の送信されたパラメータのうちの１つから始めて、前記処理手順の各々に対し、少なくとも前記第２の実体が前記速度一致ステップの後の記号の数（Ｎk＋ΔＮk）と前記速度一致ステップ以前の記号の数（Ｎk）との変分（ΔＮk）を定めるステップとを含むことを特徴とする、方法。
【発明の詳細な説明】
【技術分野】
【０００１】
この発明は、少なくとも１つの送信側実体と少なくとも１つの受信側実体とを含む電気通信システムを構成する方法であって、上記送信側および受信側実体は、少なくとも１つの物理チャネル上で移送されるデータの送信のためのステップを実現しており、上記少なくとも１つの物理チャネルは、形成中のトランスポートチャネル複合体を送信し、かつそれ自体の最大物理速度を有し、上記トランスポートチャネル複合体は少なくとも２つのトランスポートチャネルを含み、上記データ送信ステップの前に、上記トランスポートチャネルの各々に対するデータ処理手順が先行し、上記データ処理手順は少なくとも１つの速度一致ステップを含み、上記速度一致ステップは、速度一致以前の記号の数を速度一致後の記号の数に変換し、速度一致後の記号の上記数は、速度一致以前の記号の上記数を上記少なくとも２つのトランスポートチャネルの各々に特有の速度一致比で乗算することによって近似的に得られ、上記トランスポートチャネル複合体は、上記処理手順に共通の期間にわたっての上記処理手順における速度一致ステップの後のトランスポートチャネルにおける記号の数の代数和にほぼ等しい記号の数を有する、上記方法に関する。
【背景技術】
【０００２】
３ＧＰＰ（3rd Generation Partnership Project：第３世代共同企画）部会は、そのメンバーが特に欧州のＥＴＳＩ（European Telecommunication Standardization Institute：欧州電気通信標準化協会）および日本のＡＲＩＢ（Association of Radio Industries and Businesses：電波産業会）など、元々さまざまな地域的標準化組織である組織であり、この部会の目的はモバイルのための第３世代電気通信システムを標準化することである。これらのシステムに対してＣＤＭＡ（Code Division Multiple Access：符号分割多元接続）技術が選択されている。第３世代システムを第２世代システムと区別する根本的な局面の１つとしては、前者が電波スペクトルをより有効に用いること以外に、前者がより柔軟なサービスを提供していることが挙げられる。第２世代システムは限られたいくつかのサービスに対してしか最適化された電波インターフェイスを提供しておらず、たとえば、ＧＳＭ（Global System for Mobiles：モバイルのためのグローバルシステム）システムは音声送信（テレフォニサービス）に対して最適化されている。第３世代システムでは電波インターフェイスがあらゆるタイプのサービスおよびサービスの組合せに適合される。
【０００３】
このため、第３世代モバイル電波システムの利点の１つは、電波インターフェイスにおいて、サービス品質（ＱｏＳ）の点で要求が同じではないサービスを効率よく多重化できることである。特に、このようなサービス品質の差は、チャネル符号化およびチャネルインターリービングが、用いられる対応のトランスポートチャネルの各々に対して異なったものでなければならないことと、また、ビット誤り率（ＢＥＲ）が各トランスポートチャネルに対して異なっていることを意味する。所与のチャネル符号化に対するビット誤り率は、コーディングに依存するＥｂ／Ｉ比がすべてのコード化ビットに対して十分に高い場合に十分に小さくなる。Ｅｂ／Ｉは、各コード化ビット（Ｅｂ）の平均エネルギと干渉（Ｉ）の平均エネルギとの比であり、符号化に依存する。「記号」という術語は、アルファベット内の有限数の値と等しくなり得る情報要素を意味して用いられ、たとえば、記号は２つの値のうち１つでしかあり得ない場合のビットに等しいものであってもよい。
【０００４】
この結果、さまざまなサービスはサービス品質が同じではないため、Ｅｂ／Ｉ比に関する要求が同じではない。しかし、ＣＤＭＡタイプのシステムでは、システムの能力は干渉のレベルによって制限される。すなわち、ユーザ（Ｅｂ）に対してコード化されるビットのエネルギの増加により、他のユーザに対する干渉（Ｉ）が増加することとなる。このため、Ｅｂ／Ｉ比は各サービスに対して、このサービスによって生じる干渉を制限するために可能な限り正確に固定しなければならない。そこで、さまざまなサービス間でＥｂ／Ｉ比を平衡化するためのオペレーションが必要となる。このオペレーションが実行されなければ、Ｅｂ／Ｉ比は要求の最も高いサービスによって固定されることとなり、この結果、他のサービスの品質が「高過ぎる」こととなり、ユーザ数の点でシステム能力に直接影響が出る。このことは、速度一致比が電波リンクの両端において同一に規定されるため、問題を生じる。
【０００５】
この発明は、ＣＤＭＡタイプの電波リンクの両端で速度一致比を同一に規定する電気通信システムを構成する方法に関する。
【０００６】
ＩＳＯ（International Standardization Organization：国際標準化機構）のＯＳＩ（Open System Interconnection：開放型システム間相互接続）モデルでは、電気通信装置は、各層が上位レベル層に対しサービスを提供するプロトコルであるプロトコルのスタックを含む層をなすモデルによって設計される。３ＧＰＰ部会では、レベル１層がレベル２層に対し提供するサービスを「トランスポートチャネル」と呼んでいる。トランスポートチャネル（短縮形でＴｒＣＨ）により、上位レベル層が所与のサービス品質でデータを送信することが可能となる。サービス品質は特に、処理遅延、ビット誤り率およびブロック当りの誤り率によって特徴づけられる。トランスポートチャネルは、同じ電気通信装置内のレベル１層とレベル２層とのインターフェイスにおけるデータフローとして理解してもよい。また、トランスポートチャネルは、モバイルステーションおよび、電波リンクを介して互いに接続される電気通信網実体における２つのレベル２層間のデータフローとして理解することもできる。このように、レベル１層は適当なチャネル符号化およびチャネルインターリービングを用いてサービス品質要求を満たすようにする。
【０００７】
この平衡化を達成するために３ＧＰＰ部会が提案する解決策は図１および図２に示される。図１は、３ＧＰＰ部会の現在の提案に従ったダウンリンク上でのトランスポートチャネルの多重化を例示する線図である。この部会の現在の提案では、以下に説明する最後のステップ１３０まで処理される記号はビットである。
【０００８】
図１を参照して、上位レベル層１０１はトランスポートブロックセットをレベル１層に周期的に供給する。これらのセットはトランスポートチャネルレファレンス１００において供給される。トランスポートブロックセットがトランスポートチャネルに供給される周期的な時間間隔は、そのトランスポートチャネルの送信時間間隔（ＴＴＩ：Transmission Time Interval）と称される。各トランスポートチャネルはそれ自身のＴＴＩ時間間隔を有し、これは１０ｍｓ、２０ｍｓ、４０ｍｓまたは８０ｍｓに等しいものであり得る。図２には、トランスポートチャネルＡ、Ｂ、ＣおよびＤの例が示される。この図では、各トランスポートチャネルによって受信されたトランスポートブロックセットがヒストグラムにおける棒で表わされる。ヒストグラムにおけるその棒の長さは、関連づけられるトランスポートチャネルのＴＴＩ間隔を表わし、棒の面積はトランスポートブロックセットにおける有効負荷に対応する。図２を参照して、トランスポートチャネルＡ、Ｂ、ＣおよびＤに関連づけられるＴＴＩ間隔の持続時間はそれぞれ、８０ｍｓ、４０ｍｓ、２０ｍｓおよび１０ｍｓに等しい。さらに、ヒストグラムの棒における水平の点線は各トランスポートブロックセットにおけるトランスポートブロックの数を表わす。図２では、トランスポートチャネルＡは第１の送信時間間隔において３つのトランスポートブロックを含む第１のトランスポートブロックセットＡ0を受信し、次のＴＴＩ間隔において単一のトランスポートブロックを含む第２のトランスポートブロックセットＡ1を受信する。同様に、トランスポートチャネルＢは４つの連続したＴＴＩ間隔においてトランスポートブロックセットＢ0、Ｂ1、Ｂ2およびＢ3を受信し、これらはそれぞれ０個、２個、１個および３個のトランスポートブロックを含む。トランスポートチャネルＣは８つの連続したＴＴＩ間隔においてトランスポートブロックセットＣ0からＣ7を受信し、最後に、トランスポートチャネルＤは１６のＴＴＩ間隔においてトランスポートブロックセットＤ0からＤ15を受信する。
【０００９】
所与のトランスポートチャネルに対するＴＴＩ間隔が、別のトランスポートチャネルにおける２つのＴＴＩ間隔に重なることはあり得ないことに注目されたい。これは、ＴＴＩ間隔が幾何学的に（１０ｍｓ、２０ｍｓ、４０ｍｓおよび８０ｍｓ）増加するため可能となる。また、サービス品質が同じである２つのトランスポートチャネルは必然的に同じＴＴＩ間隔を有することに注目されたい。さらに、「トランスポート形式」という術語は、トランスポートチャネルによって受信されたトランスポートブロックセットに含まれるトランスポートブロックの数および各トランスポートブロックのサイズを表わす情報を指して用いられる。所与のトランスポートチャネルに対し、有限のセットの可能なトランスポート形式が存在し、そのうちの１つが各ＴＴＩ間隔において上位レベル層の必要の関数として選択される。一定速度のトランスポートチャネルの場合、このセットは単一の要素しか含まない。一方、可変速度のトランスポートチャネルの場合、このセットはいくつかの要素を含み、よって速度そのものが変動する際にはあるＴＴＩ間隔から別のＴＴＩ間隔にかけてトランスポート形式も変動し得る。図２に示される例では、トランスポートチャネルＡは電波フレーム０から電波フレーム７にかけて受信したセットＡ0に対する第１のトランスポート形式と、電波フレーム８から電波フレーム１５にかけてのセットＡ1に対する第２のトランスポート形式とを有する。
【００１０】
３ＧＰＰ部会の現在の仮定によれば、トランスポートチャネルには２つのタイプ、すなわちリアルタイムトランスポートチャネルと非リアルタイムトランスポートチャネルとがある。リアルタイムトランスポートチャネルでのエラーの場合には自動反復要求（ＡＲＱ：automatic repeat request）は用いられない。トランスポートブロックセットは最大で１つのトランスポートブロックを含み、このトランスポートブロックの可能なサイズの数は限られている。「ブロックサイズ」および「ブロック当りの記号の数」という表現は以下の説明において区別することなく用いられる。
【００１１】
たとえば、以下の表に規定されるトランスポート形式を得ることができる。
【００１２】
【表１】
2010081643.tif 000003
【００１３】
この表では、最小速度は１ＴＴＩ間隔当り０ビットである。この速度はトランスポート形式０に対して得られる。最大速度は１ＴＴＩ間隔当り１２０ビットであり、これはトランスポート形式２に対して得られる。
【００１４】
非リアルタイムトランスポートチャネルでのエラーの場合には自動反復を用いることができる。トランスポートブロックセットは同じサイズの可変数のトランスポートブロックを含む。たとえば、以下の表に規定されるトランスポート形式が得られる。
【００１５】
【表２】
2010081643.tif 000004
【００１６】
この表では、最小速度は１ＴＴＩ間隔当り１６０ビットである。この速度はトランスポート形式０に対して得られる。最大速度は１ＴＴＩ間隔当り４８０ビットであり、これはトランスポート形式２に対して得られる。
【００１７】
このように、図２に示される例を考慮して、トランスポートチャネルＡ、Ｂ、ＣおよびＤに対し以下の記載が適用できる。
【００１８】
【表３】
2010081643.tif 000005
【００１９】
図２では、トランスポートブロックセットＡ0はトランスポート形式２であり、トランスポートブロックセットＡ1はトランスポート形式０である。
【００２０】
【表４】
2010081643.tif 000006
【００２１】
図２では、トランスポートブロックセットＢ0、Ｂ1、Ｂ2およびＢ3はそれぞれ、トランスポート形式０、１、２および３である。
【００２２】
【表５】
2010081643.tif 000007
【００２３】
図２では、トランスポートブロックセットＣ0、Ｃ1、Ｃ2、Ｃ3、Ｃ4、Ｃ5、Ｃ6およびＣ7はそれぞれ、トランスポート形式２、２、１、２、２、０、０および２である。
【００２４】
【表６】
2010081643.tif 000008
【００２５】
図２では、トランスポートブロックセットＤ0からＤ15はそれぞれ、トランスポート形式１、２、２、３、１、０、１、１、１、２、２、０、０、１、１、および１である。
【００２６】
次に、各電波フレームに対し、トランスポート形式組合せ（ＴＦＣ）を、各トランスポートチャネルに対する現在のトランスポート形式から始めて形成することができる。図２を参照して、フレーム０に対するトランスポート形式組合せは、（（Ａ、２）、（Ｂ、０）、（Ｃ、２）、（Ｄ、１））である。これは、フレーム０に対するトランスポートチャネルＡ、Ｂ、ＣおよびＤのためのトランスポート形式がそれぞれ、２、０、２および１であることを示す。図２の例を説明するためにトランスポート形式組合せの可能なセットを示す以下の表において、添数５がこのトランスポート形式に関連づけられている。
【００２７】
【表７】
2010081643.tif 000009
【００２８】
したがって、再び図１を参照して、各トランスポートチャネルレファレンス１００は上位レベル層１０１から生じる各々の関連づけられたＴＴＩ間隔においてトランスポートブロックセットを受信する。サービス品質が同じトランスポートチャネルは同じ処理システム１０２Ａおよび１０２Ｂによって処理される。フレーム検査シーケンス（ＦＣＳ）はステップ１０４においてこれらのブロックの各々に割当てられる。これらのシーケンスは受信において用いられ、受信されたトランスポートブロックが正しいかどうかを検出する。次のステップであるレファレンス１０６は、サービス品質（ＱｏＳ）が同じであるさまざまなトランスポートチャネルを互いに多重化することを含む。これらのトランスポートチャネルは同じサービス品質を有するため、これらを同じ態様でコード化できる。典型的に、この多重化オペレーションは、トランスポートブロックセットが連結されるオペレーションを含む。次のステップは、多重化されたブロックのセットに対しチャネル符号化オペレーション１０８を実行することを含む。このステップの終わりには結果として１セットのコード化トランスポートブロックが生じる。コード化ブロックはいくつかのトランスポートブロックに対応し得る。トランスポートブロックセットのシーケンスがトランスポートチャネルを形成するのと同様に、コード化トランスポートブロックのセットのシーケンスはコード化トランスポートチャネルと称される。このようにコード化されたチャネルは次に、ステップ１１８において速度一致させられ、次にステップ１２０においてその関連づけられるＴＴＩ間隔においてインターリーブされ、次にステップ１２２においてセグメント化される。セグメント化ステップ１２２において、コード化トランスポートブロックセットは、対象のチャネルにおいてＴＴＩ間隔における各多重化フレームに対してデータセグメントが１つ存在するような態様でセグメント化される。多重化フレームとは、受信において逆多重化オペレーションを行なうことのできる最小の時間間隔である。ここでは、１多重フレームは１電波フレームに対応し、１０ｍｓの間持続する。
【００２９】
既に述べたように、速度一致ステップ（１１８）の目的はサービス品質の異なるトランスポートチャネル間で受信においてＥｂ／Ｉ比を平衡化することである。受信におけるビット誤り率ＢＥＲはこの比に依存する。ＣＤＭＡ多元アクセス技術を用いるシステムでは、得ることのできるサービス品質はこの比が大きいほどより高くなる。このため、サービス品質の異なるトランスポートチャネルがＥｂ／Ｉ比の点で同じ必要を有していないことや、速度を一致させない場合にＥｂ／Ｉ比は最も要求の高いチャネルによって固定されるためいくつかのトランスポートチャネルの品質が「過度に」高いものとなり、隣接するトランスポートチャネルに不必要に干渉を生じることとなるのは容易に理解される。このため、速度を一致させることはＥｂ／Ｉ比を平衡化することにもなる。速度は、Ｎ個の入力記号がＮ＋ΔＮ個の出力記号を与えるような態様で一致され、これはＥｂ／Ｉ比を（Ｎ＋ΔＮ）／Ｎ比で乗算する。この（Ｎ＋ΔＮ）／Ｎ比は、丸めを除いて速度一致比ＲＦと等しい。
【００３０】
ダウンリンクにおいて、無線周波電力のピーク／平均比は、ネットワークが複数のユーザに同時に送信するためさほど良好ではない。これらのユーザに送られる信号は建設的にまたは破壊的に組合わされ、これによってネットワークによって発せられる無線周波電力に大きな変動を引き起こすため、劣悪なピーク／平均比をもたらす。このため、ダウンリンクに関して、擬似静的速度一致比
【００３１】
【数１】
2010081643.tif 000010
【００３２】
を用いた速度一致によってさまざまなトランスポートチャネル間でＥｂ／Ｉ比が平衡化されることと、多重化フレームがダミー記号、すなわち送信されない記号によって埋込まれること（不連続な送信）とが決められた。また、ダミー記号はＤＴＸ（Discontinuous Transmission：不連続な送信）の省略形で示される。擬似静的とは、このＲＦ比が上位レベル層からのプロトコルによって実現される特定のトランザクションによってしか変更できないことを意味する。挿入すべきＤＴＸ記号の数は、ＤＴＸ記号によって埋込まれる多重化フレームが専用物理データチャネル（ＤＰＤＣＨ：Dedicated Physical Data Channel）を完全に埋めるような態様で選ぶ。
【００３３】
この不連続な送信により、無線周波電力のピーク／平均比が劣化するが、この劣化は擬似静的速度一致比によって得られる受信側モバイルステーションの構成が簡略化されることを考えれば許容可能なものである。
【００３４】
再び図１を参照して、符号化、セグメント化、インターリーブおよび速度一致の後、サービス品質の異なるトランスポートチャネルはステップ１２４において互いに対し多重化され、トランスポートチャネル複合体を形成する多重化フレームを準備する。この多重化は各多重化フレームに対して個別に行なわれる。多重化されたトランスポートチャネルの速度は可変であり得るため、このステップの終わりにおいて得られる複合体速度もまた可変である。ＤＰＤＣＨ（専用物理データチャネル）と称される物理チャネルの能力は限られているため、この複合体を移送するのに必要である物理チャネルの数が１より大きくなる可能性がある。必要とされる物理チャネルの数が１より大きい場合、この複合体に対するセグメント化ステップ１２６が含まれる。たとえば、物理チャネルが２つある場合、このセグメント化ステップ１２６は、交互に、２つの物理チャネルのうちのＤＰＤＣＨ♯１で示される第１のものへ１つの記号を送り、ＤＰＤＣＨ♯２で示される第２の物理チャネルへ１つの記号を送ることを含んでいてもよい。
【００３５】
次に、得られたデータセグメントはステップ１２８においてインターリーブされ、次にステップ１３０において物理チャネル上で送信される。この最終ステップ１３０はスペクトル広がり（spectrum spreading）によって送信される記号を変調することを含む。
【００３６】
ＤＴＸ記号は、ステップ１１６において別個に各ＴＴＩ間隔に対して、またはステップ１３２において別個に各多重化フレームに対して動的に挿入される。各トランスポートチャネルｉと関連づけられる速度一致比ＲＦiは、多重化ステップ１２４の後の全トランスポートチャネル複合体比が最大である場合に挿入すべきＤＴＸ記号の数を最小にするように定められる。この手法の目的は、最悪の場合でも無線周波電力のピーク／平均比の劣化を抑えることである。
【００３７】
速度はパンクチャリング（ＲＦi＜１、ΔＮ＜０）によって、または反復（ＲＦi＞１、ΔＮ＞０）によって一致させられる。パンクチャリングは、−ΔＮ記号を削除することを含むが、これはこれらがチャネル符号化記号であるため許容可能である。このため、このオペレーションにもかかわらず速度一致比ＲＦiが低すぎない場合には受信におけるチャネル復号化（チャネル符号化の逆のオペレーションである）により、エラーを生じることなくトランスポートチャネルによって移送されたデータを再現できる（典型的に、ＲＦi≧０．８の場合、すなわち、記号の２０％以下しかパンクチャリングされていない場合）。
【００３８】
ＤＴＸ記号は２つの相互に排他的な手法の１つにおいて挿入される。ＤＴＸ記号は、ステップ１６６において「固定サービス位置（"fixed service positions"）」手法を用いて挿入されるか、またはステップ１３２において「不定サービス位置（"flexible service positions"）」手法を用いて挿入される。固定サービス位置は許容可能な複雑さでブラインド速度検出を実行することが可能となるため用いられる。不定サービス位置はブラインド速度検出がない場合に用いられる。ＤＴＸ記号挿入ステップ１１６はオプションであることに注意されたい。
【００３９】
ステップ１１６（固定サービス位置）において、挿入されるＤＴＸ記号の数は十分なものであるため、このステップ１１６以後のデータフロー速度は、このステップ１１６以前のトランスポートチャネルのトランスポート形式にかかわらず、一定である。このように、トランスポートチャネルのトランスポート形式は、複雑さが低減された態様で、すなわち、関連づけられた専用物理制御チャネル（ＤＰＣＣＨ）上に現在のトランスポート形式組合せの明示的指示を送信することなく、ブラインドで検出することができる。ブラインド検出は、特にフレーム検査シーケンスＦＣＳを用いて、正しい符号化形式が検出されるまですべてのトランスポート形式をテストすることを含む。
【００４０】
明示的指示を用いて速度が検出される場合、ＤＴＸ記号は好ましくはステップ１３２において挿入される（不定サービス位置）。このことにより、２つの複合トランスポートチャネルの速度が独立したものでない場合、また特にこれらが相補的である場合に、挿入するＤＴＸ記号の数を少なくすることが可能となる。これは、この場合に２つのトランスポートチャネルが同時にその最大速度になることが決してあり得ないためである。
【００４１】
現時点で、規定されているアルゴリズムは多重化、チャネル符号化、インターリービングおよび速度一致アルゴリズムのみである。速度一致以前の記号の数Ｎと、速度一致以前の記号の数と速度一致後の記号の数との差に対応する変分ΔＮとの間のダウンリンクにおける関係を固定するために規則を規定する必要がある。
【００４２】
図２に示される例を考える。トランスポートチャネルＢは０から３の添数で示される４つのトランスポート形式を許容する。トランスポートチャネルＢから生じるコード化トランスポートチャネルが、以下の表に示すように各トランスポート形式に対して１つ以下のコード化ブロックを生成するものと仮定する。
【００４３】
【表８】
2010081643.tif 000011
【００４４】
ＲＦB＝１．３３３３が速度一致比であると仮定すると、速度一致によって生成される変分ΔＮは、たとえば以下の表に示されるように各トランスポート形式によって変動する。
【００４５】
【表９】
2010081643.tif 000012
【００４６】
このように、変分ΔＮを速度一致以前の記号の数Ｎの関数として計算するこのタイプの規則が存在することにより、接続の交渉が簡略化できる。したがって、上の表に示される例によれば、３つの可能な変分ΔＮを提供する代わりに、これらを計算するのに用いることができる限定した数のパラメータをリンクの他方端へ供給するだけで十分である。さらなる利点としては、あるトランスポートチャネルの速度一致を加算し、解放し、または変更する際に供給すべき情報の量は、他のトランスポートチャネルに関連するパラメータが不変であるため、非常に少ないことが挙げられる。
【００４７】
既にエスポー（フィンランド）での１９９９年７月の３ＧＰＰ部会のサブグループ３ＧＰＰ／ＴＳＧ／ＲＡＮのワークサブグループＷＧ１の会合Ｎｏ．６においてある計算規則が提案されている。この規則は、３ＧＰＰ／ＴＳＧ／ＲＡＮ／ＷＧ１／ＴＳＧＲ１♯６（９９）９９７「速度一致信号通知のための提案書」（“Text Proposal for rate matching signaling”）という文書に提示される提案書のセクション４．２．６．２に記載される。しかしながら、この計算規則によって以下に示すようにいくつかの問題が生じる。ここで用いる表記法は上述の文書ＴＳＧＲ１♯６（９９）９９７における表記法と全く同じものではないことに注目されたい。
【００４８】
ここでの提示を明らかにするために、まずこの説明の以下の部分で用いる表記法について説明する。
【００４９】
ｉがコード化トランスポートチャネルの連続した値１、２、…、Ｔを表わす添数を意味するものとすると、コード化トランスポートチャネルｉのトランスポート形式の添数のセットはｉ∈[１、…、Ｔ]のすべての値に対してＴＦＳ（ｉ）と示される。ｊがコード化トランスポートチャネルｉのトランスポート形式の添数である場合、言い換えると、ｊ∈ＴＦＳ（ｉ）である場合、トランスポート形式ｊに対するコード化トランスポートチャネルｉから生じるコード化ブロックの添数のセットはＣＢＳ（ｉ、ｊ）で示される。コード化ブロック添数の各々は、すべてのトランスポート形式およびすべてのコード化トランスポートチャネルに対し、コード化ブロックに一意に割当てられる。要約すると、以下が得られる。
【００５０】
【数２】
2010081643.tif 000013
【００５１】
ここでφは空集合である。ここでの提示の目的のため、コード化ブロックの添数はこのブロックに含まれるデータに依存しないが、トランスポートチャネルがトランスポート形式に対していくつかのコード化ブロックを生成する場合には、添数がこのコード化ブロックを生成したコード化トランスポートチャネル、このチャネルのトランスポート形式およびそのブロック自体を識別することに注意されたい。このブロック添数はコード化ブロックタイプとも称される。典型的に、コード化トランスポートチャネルｉは所与のトランスポート形式ｊに対して１より大きい数のコード化ブロックを生成することがなく、よってＣＢＳ（ｉ、ｊ）は空集合であるか、または単集合である。コード化トランスポートチャネルｉがトランスポート形式ｊに対してｎ個のコード化ブロックを生成する場合、ＣＢＳ（ｉ、ｊ）はｎ個の要素を含む。
【００５２】
またここでは、ＴＦＣＳをトランスポート形式組合せのセットを意味して用いる。このセットにおける各要素は、
【００５３】
【数３】
2010081643.tif 000014
【００５４】
におけるｉの添数で示される各コード化トランスポートチャネルを、このコード化トランスポートチャネルにおける添数ｊを有するトランスポート形式（ｊ∈ＴＦＳ（ｉ））と関連づける（ｉ、ｊ）対のリストによって二者によって一意に表わすことができる。換言すると、トランスポート形式組合せは各コード化トランスポートチャネルｉに対応するトランスポート形式ｊを定めることができる。ここでの提示の以下の部分では、セットＴＦＣＳはＣ個の要素を含むと仮定し、よって、このセットに対するトランスポート形式組合せを１からＣまでの添数で示す。ｌがトランスポート形式組合せの添数である場合、添数ｌを備えたトランスポート形式組合せにおけるｉの添数で示されたコード化トランスポートチャネルに対応するトランスポート形式添数はＴＦi（ｌ）で示される。換言すると、添数ｌを有するトランスポート形式組合せは以下のリストによって表わされる。
【００５５】
（（１、ＴＦ1（ｌ））、（２、ＴＦ2（ｌ））、…、（Ｔ、ＴＦT（ｌ）））
いずれかのトランスポート形式組合せｌに対するブロックサイズ添数のセットはＭＳＢ（ｌ）で示される。よって、次の式が得られる。
【００５６】
【数４】
2010081643.tif 000015
【００５７】
さらに、コード化トランスポートチャネルｉ上の各送信時間間隔における多重化フレームの数はＦiで示される。よって、図１に示される送信システムでは、コード化トランスポートチャネルｉから発せられるどのブロックもＦi個のブロックまたはセグメントにセグメント化される。３ＧＰＰ部会による現在の仮定によれば、これらのブロックのサイズはほぼ等しい。たとえば、Ｆi＝４であり、かつセグメント化ステップ１２２が適用されるブロックが１００個の記号を含む場合、このステップ１２２の終わりに得られるセグメントは２５個の記号を含む。一方、セグメント化されたブロックが９９個の記号しか含まない場合、９９は４の倍数ではないため、セグメント化の後には２５個の記号のブロックが３つと２４個の記号のブロックが１つとなるか、またはセグメント化ステップ１２２において埋込み記号が追加されて２５個の記号のブロックが４つ存在することとなる。しかしながら、セグメント化ステップ１２２以前のブロックにおける記号の数がＸである場合、
【００５８】
【数５】
2010081643.tif 000016
【００５９】
がセグメント当りの記号の最大数であると書き表わすことができ、ここで表記
【００６０】
【数６】
2010081643.tif 000017
【００６１】
がｘ以上の最も小さい整数を表わす。
最後に、タイプまたは添数ｋを有するコード化ブロックに対し、速度一致以前のこのコード化ブロックにおける記号の数はＮkで示され、速度一致後の記号の数と速度一致以前の記号の数との変分はΔＮkで示される。さらに、以下、「速度」および「多重化フレーム当りの記号の数」という表現は区別することなく用いていることに注意されたい。所与の持続時間を有する多重化フレームに対して、記号の数は多重化フレーム間隔当りの記号の数としての速度を表わす。
【００６２】
以上、表記法を定義したところで、文書３ＧＰＰ／ＴＳＧ／ＲＡＮ／ＷＧ１／ＴＳＧＲ１♯６（９９）９９７「速度一致信号通知のための提案書」に記載される計算規則について説明する。
【００６３】
この規則のための先行必要条件は、複合体速度が最大であるトランスポート形式組合せｌ0を定めることである。このトランスポート形式組合せｌ0に対し、速度一致以前のＮkMF個の記号を備えたブロックに対する変分ΔＮkMFが定められる。これは、トランスポート形式組合せｌ0に対してのみ、すなわち、ｋ∈ＭＢＳ（ｌ0）のすべての値に対してのみ行なわれる。ΔＮkMFおよびＮkMFの表記における上部の添数ＭＦは、これらのパラメータが多重化フレームに対して計算されるのであってＴＴＩ間隔に対して計算されるのではないことを意味する。以下のように定義される。
【００６４】
【数７】
2010081643.tif 000018
【００６５】
次のステップとしては、変分ΔＮkMFを規定するため多重化フレームステップ１２２によるセグメント化の後に速度一致１１８が実行されたかのように続けることである。不定サービス位置に関しては、
【００６６】
【数８】
2010081643.tif 000019
【００６７】
に対する変分ΔＮkMFが以下の等式を用いて計算される。
【００６８】
【数９】
2010081643.tif 000020
【００６９】
ここで、添数ｋを有するいずれのコード化ブロックに対しても、κ（ｋ）がＭＳＢ（ｌ0）の要素であり、添数ｋおよびκ（ｋ）を有するコード化ブロックが同じコード化トランスポートチャネルから生じるものであるようにし、ここで
【００７０】
【数１０】
2010081643.tif 000021
【００７１】
はｘ以下の最大の整数を示す。
固定サービス位置に関しては、
【００７２】
【数１１】
2010081643.tif 000022
【００７３】
に対する変分ΔＮkMFは以下の等式を用いて計算される。
【００７４】
【数１２】
2010081643.tif 000023
【００７５】
κ（ｋ）の定義はこの方法では何ら問題は生じないことに注意されたい。なぜなら、（ｉ、ｊ）のどの値に対しても、ＣＢＳ（ｉ、ｊ）は単一要素を含むため、ｉが添数で示されたサイズｋを有するコード化ブロックを生成するコード化トランスポートチャネルの添数である場合、κ（ｋ）はＣＢＳ（ｉ、ｌ0）の単一要素と規定されるからである。
【００７６】
この規則によれば、ＣＢＳ（ｉ、ｊ）が単集合があることが確実にされる。これは、第１に、ＴＴＩ間隔当りのコード化ブロックの数が１以下であり（基本仮定）、第２に、この数が０である場合にはブロックサイズが０であると考えられ、その際ＣＢＳ（ｉ、ｊ）はＮk＝０である単一要素ｋを含むためである。
【００７７】
最後に、変分ΔＮkのセットを以下の等式を用いて計算する。
【００７８】
【数１３】
2010081643.tif 000024
【００７９】
これは、考慮される多重化フレーム期間をＴＴＩ間隔に減じることにより、変分に関して、等式（３）の逆のオペレーションに対応する。
【００８０】
この計算規則では以下の問題が生じる。
１）  複合体速度が何を意味するかについて何も書かれていない（正確な速度は変分ΔＮが計算された際にしか定めることができないため、これを計算規則に用いることができない）。
【００８１】
２）  この概念が定義付けられたとしても、最大複合体速度をもたらすトランスポート形式組合せが一意のものではないいくつかの場合が存在する可能性が高く、その結果、組合せｌ0の定義が不完全であることになる。
【００８２】
３）  等式（４）は大きな問題をもたらす。複合体速度が最大であるトランスポート形式組合せは、必ずしもすべてのトランスポートチャネルが同時にその最大速度となるものではない。以下、ＣＣＴｒＣＨ複合体に対する多重化フレーム当りの利用可能な記号の数を最大物理速度Ｎdataと称することとする。最大物理速度は、割付された物理チャネルＤＰＤＣＨにおけるリソースに依存する。したがって、すべてのトランスポートチャネルが同時にそのそれぞれの最大速度となるには複合体を運ぶ物理チャネルの最大物理速度Ｎdataが不十分である可能性がある。このためこの場合には、すべてのトランスポートチャネルが同時にその最大速度となるトランスポート形式組合せが存在しない。よって、トランスポートチャネル速度は互いに無関係のものではない。いくつかのトランスポートチャネルは他のトランスポートチャネルよりも低い優先度を有しているため、最大物理速度Ｎdataが不十分である際には最高優先度を有するトランスポートチャネルのみが送信することが可能であり、他のものに対する送信は遅延される。典型的に、このタイプの調停はＯＳＩモデルにおけるレベル２層のメディアアクセス制御（ＭＡＣ）サブレベルにおいて実行される。トランスポート形式組合せｌ0において複合体がその最大速度である際にトラン
スポートチャネルは必ずしも同時にその最大速度にあるわけではないため、特に、それらのうちの１つがゼロ速度である可能性がある。したがって、
【００８３】
【数１４】
2010081643.tif 000025
【００８４】
であり、よって
【００８５】
【数１５】
2010081643.tif 000026
【００８６】
であるような値ｋ0∈ＭＢＳ（ｌ0）を見出すことが可能である。
【００８７】
【数１６】
2010081643.tif 000027
【００８８】
がｋ0＝κ（ｋ1）となるようなものである場合、ｋ＝ｋ1に対して等式（４）は以下のようになる。
【００８９】
【数１７】
2010081643.tif 000028
【００９０】
【数１８】
2010081643.tif 000029
【発明の概要】
【発明が解決しようとする課題】
【００９１】
この発明の目的の１つは、上述の欠点を克服するための規則を提案することである。
この発明の別の目的は、あらゆる可能な状況および特に以下の場合の少なくとも１つに対して、ダウンリンクに対する速度一致を規定することのできるこのタイプの方法を提供することである。すなわち、
【００９２】
【数１９】
2010081643.tif 000030
【００９３】
この発明の別の目的は、コード化トランスポートチャネル複合体の速度が最大である際に挿入すべきダミー記号（ＤＰＳ）の数を最小にする方法を提供することである。
【課題を解決するための手段】
【００９４】
したがって、この発明の主題は、少なくとも１つの送信側実体と少なくとも１つの受信側実体とを含む電気通信システムを構成する方法であって、上記送信側および受信側実体は、少なくとも１つの物理チャネル上で移送されるデータの送信のためのステップを実現しており、上記少なくとも１つの物理チャネルは、形成中のトランスポートチャネル複合体を送信し、かつ上記少なくとも１つの物理チャネルによりもたらされるそれ自体の最大物理速度を有し、上記トランスポートチャネル複合体は少なくとも２つのトランスポートチャネルを含み、上記データ送信ステップの前に、上記トランスポートチャネルの各々に対するデータ処理手順が先行し、上記データ処理手順は少なくとも１つの速度一致ステップを含み、上記速度一致ステップは、上記速度一致ステップ以前の記号の数を上記速度一致ステップ後の記号の数に変換し、上記速度一致ステップ後の記号の上記数は、上記速度一致ステップ以前の記号の上記数を上記少なくとも２つのトランスポートチャネルの各々に特有の速度一致比で乗算することによって近似的に得られ、上記トランスポートチャネル複合体は、上記処理手順に共通の期間にわたっての上記処理手順における対応する速度一致ステップの後のトランスポートチャネルにおける記号の数の代数和にほぼ等しい記号の数を有しており、
上記方法は以下の連続したステップ、すなわち
−上記実体のうちの少なくとも１つから、
−上記処理手順の各々に対し、速度一致に関連する第１のパラメータを定めるステップを含み、上記第１のパラメータは上記速度一致比に比例しており、さらに
−すべての上記処理手順に対し、上記最大物理速度を表わす第２のパラメータを定めるステップと、
−定められた上記第１および第２のパラメータのための、第１の実体と称する上記実体のうちの少なくとも１つから第２の実体と称する上記実体の別のものへの送信ステップと、
−得られる上記トランスポートチャネル複合体の最大速度が上記少なくとも１つの物理チャネルの上記最大物理速度のオーバシュートを生じない態様で、上記第１および第２の送信されたパラメータのうちの１つから始めて、上記処理手順の各々に対し、少なくとも上記第２の実体が上記速度一致ステップの後の記号の数と上記速度一致ステップ以前の記号の数との変分を定めるステップとを含むことを特徴とする方法である。
【００９５】
速度一致ステップ１１８が適用可能であるデータブロックはチャネル符号化ステップ１０８から生じるコード化ブロックであることに注意されたい（図１参照）。
【００９６】
この発明の重要な特徴の１つによれば、上記速度一致ステップの後の記号の数と上記速度一致ステップ以前の記号の数との変分が、上記第１および第２の送信されたパラメータのうちの１つから始めて定められる上記ステップは、
−上記第１および第２のパラメータならびに上記速度一致ステップ以前の記号の上記数から始めて、上記データブロックタイプの各々に対し、一時変分が計算されるステップと、
−複合体の一時速度がすべての上記トランスポート形式組合せに対する上記最大物理速度のオーバシュートを生じない態様で、すべての上記トランスポート形式組合せに対する上記一時変分の修正ステップと、上記一時速度は上記一時変分から生じ、上記修正ステップはグローバル修正ステップと称され、さらに
−最終変分が定められるステップとのうち、
少なくともいくつかのステップを含む。
【００９７】
この発明の別の主題は、少なくとも１つの物理チャネル上に移送されるデータを送信する手段を少なくとも含むタイプの構成装置であって、上記少なくとも１つの物理チャネルは形成中のトランスポートチャネル複合体を送信し、最大物理速度が上記少なくとも１つの物理チャネルによりもたらされ、上記トランスポートチャネル複合体は少なくとも２つのトランスポートチャネルを含み、上記装置は、上記トランスポートチャネルの各々に対し少なくとも速度一致手段を含むデータ処理モジュールを含み、上記速度一致手段は上記速度一致手段への入力記号の数を、上記入力記号の数を対象の上記少なくとも１つのトランスポートチャネルに特有の速度一致比によって乗算することによって近似的に得られる上記速度一致手段からの出力記号の数に変換し、上記トランスポートチャネル複合体は、上記処理に共通の期間にわたっての、上記処理モジュールにおける対応する速度一致手段から生じるトランスポートチャネル記号の数の代数和にほぼ等しい記号の数を有しており、
上記装置は、
−上記実体の少なくとも１つから、上記処理モジュールの各々に対する上記速度一致比に比例する速度一致に関連する第１のパラメータと、上記処理モジュールのセットに対する上記最大物理速度を表わす第２のパラメータとを定める手段と、
−上記第１および第２の定められたパラメータを、第１の実体と称する上記実体の少なくとも１つから第２の実体と称する上記実体の別のものへ送信する手段と、
−上記トランスポートチャネル複合体に対して得られる最大速度が上記少なくとも１つの物理チャネルの上記最大物理速度のオーバシュートを生じない態様で、上記処理モジュールの各々に対し、上記第１および第２の送信されたパラメータから始めて、少なくとも上記第２の実体が、上記速度一致手段からの出力記号の数と上記速度一致手段への入力記号の数との変分を定めるのに用いられる手段とを含むことを特徴とする。
【００９８】
この発明は、ただ例示の目的で示され、かつ添付の図面に関連して提示される以下の説明からよりよく理解されるであろう。
【図面の簡単な説明】
【００９９】
【図１】３ＧＰＰ部会の現在の提案に従ったダウンリンク上のトランスポートチャネルの多重化を示す線図である。
【図２】トランスポートチャネルＡ、Ｂ、ＣおよびＤの例を示す図である。
【図３】この発明による変分ΔＮkを計算するある方法を表わす図である。
【図４】この発明による変分ΔＮkを計算する別の方法を表わす図である。
【図５】この発明による変分ΔＮkを計算するさらに別の方法を表わす図である。
【図６】一時変分が部分修正されるステップを示す図である。
【発明を実施するための形態】
【０１００】
以下の説明は特記していない限り不定サービス位置の場合に当てはまる。
この発明によれば、各コード化トランスポートチャネルｉは２つのパラメータＲＭiおよびＰiによって特徴付けられる。第１のパラメータＲＭiはコード化トランスポートチャネルｉに対する速度一致属性を表わす。この属性は受信において予想されるＥｂ／Ｉ比に比例しており、換言すると、１、２、…、Ｔで示されるいくつかのコード化トランスポートチャネルがそれぞれ、ＲＭ1、ＲＭ2、…、ＲＭTで示される属性とともに考慮される場合、各コード化トランスポートチャネルに対する予想されるＥｂ／Ｉ比はＲＭiパラメータと同じ比率のものとなる。第２のパラメータＰiは所与のコード化トランスポートチャネルｉに対する最大の許容可能なパンクチャリング比に対応する係数である。このため、Ｐ1、Ｐ2、…、ＰTで示される最大パンクチャリング比は各コード化トランスポートチャネル１、２、…、Ｔに関連付けられる。最大パンクチャリング比は、考慮されるコード化トランスポートチャネルに特有の処理システムにおいて用いられるチャネルコーディングによって強いられる。パンクチャリングはコード化記号を消去することを含む。この消去はチャネル符号化が冗長度を導入するため許容可能なものである。しかしながら、パンクチャリングされた記号の数はコード化記号の総数と比較して大きくなりすぎてはならないため、チャネルコーディングおよび受信において用いられるデコーダに依存する最大パンクチャリング比が存在する。
【０１０１】
さらに、最大物理速度Ｎdataが多重化フレームにおいて送信できる記号の最大数であり、１つまたはいくつかの物理チャネルＤＰＤＣＨの割付けを可能にすることに注意されたい。
【０１０２】
この発明によれば、ｉ∈［１、Ｔ］であるところのパラメータ｛ＲＭ1｝のセットおよびＮdataのみを、既存のコード化トランスポートチャネル複合体に関連付けられる論理制御チャネル上に送信し、各コード化トランスポートチャネルに対し、各電気通信実体が速度一致の後の記号の数Ｎ＋ΔＮと速度一致以前の記号の数Ｎとの対応のセットを知ることを可能にする。論理チャネルとは、２つのレベル３層プロトコル、典型的には２つの電波リソース制御（ＲＲＣ：Radio Resource Control）プロトコルを接続できるチャネルを意味する。このタイプの論理チャネルは、既存のコード化トランスポートチャネル複合体内のトランスポートチャネルのうちの１つにより担持される。
【０１０３】
これらのパラメータ
【０１０４】
【数２０】
2010081643.tif 000031
【０１０５】
は実体のうちの１つによって定められてもよく、またはいくつかの実体の間で「交渉」されてもよい。Ｎdataが正の零ではない整数であり、
【０１０６】
【数２１】
2010081643.tif 000032
【０１０７】
のパラメータもまた正であり零ではなく、また典型的に単純に２進数として表わすことができることに注意されたい。
【０１０８】
交渉の終わりに、
【０１０９】
【数２２】
2010081643.tif 000033
【０１１０】
のパラメータは、各コード化トランスポートチャネルおよび新しいトランスポートチャネル複合体内のそのそれぞれ対応のトランスポート形式の各々に対して（Ｎ、ΔＮ）対を規定するため、交渉によって定められる瞬間において有効になる。この新しい複合体は、ＲＭiおよびＮdataのパラメータが有効になる瞬間以前の形成中の複合体の結果であることに注目されたい。この新しい複合体は典型的に、交渉が行なわれた既存の複合体の代わりとなる。トランスポートチャネル複合体がセットアップされた時点で、二重の専用物理チャネルＤＰＤＣＨ上に既存のトランスポートチャネル複合体が存在していなければどんな交渉を行なうことも不可能である。こうした条件の下で、コード化トランスポートチャネルの数Ｔと新しいコード化トランスポートチャネル複合体の
【０１１１】
【数２３】
2010081643.tif 000034
【０１１２】
のパラメータとは、システムに対して予め規定されるか、または、専用物理データチャネルが前もって存在していなくてもよい簡略化された交渉において定められる。典型的に、このタイプの交渉は、アップリンクに対する物理ランダムアクセスチャネル（ＰＲＡＣＨ）およびダウンリンクに対するフォワードアクセスチャネル（ＦＡＣＨ）などの共通の物理チャネル上で行なわれてもよい。この簡略化された交渉はまた、
【０１１３】
【数２４】
2010081643.tif 000035
【０１１４】
の情報を含むコンテキストに関連していてもよく、このコンテキストは専用物理データチャネルの以前の接続の間にセットアップされたものである。
【０１１５】
ＲＭiパラメータは、同じコード化トランスポートチャネルに関連付けられる速度一致比ＲＦiが、コード化トランスポートチャネルｉとは無関係の擬似静的因数Ｌにより因数分解される、パラメータに比例する態様のものである。よって、以下の数式が得られる。
【０１１６】
【数２５】
2010081643.tif 000036
【０１１７】
さらに、最大パンクチャリング比に対する拘束を尊重するために以下が満たされなければならない。
【０１１８】
【数２６】
2010081643.tif 000037
【０１１９】
この発明によれば、対応（Ｎ、ΔＮ）のセットを計算するのに各パラメータＰiの値を知る必要はないことに注意されたい。等式（５）および等式（６）のシステムは、因数Ｌに関する等式（５）、等式（７）および等式（８）のシステムと等価のものであり、
【０１２０】
【数２７】
2010081643.tif 000038
【０１２１】
したがって、速度一致比｛ＲＦi｝のすべての可能な値に対して同じ情報を得るために、知っているべきものはＬＭＩＮまたは、たとえば
【０１２２】
【数２８】
2010081643.tif 000039
【０１２３】
などの、既知のデータに依存する因数を用いて定められた何らかの別の比例値だけである。しかしながら、これは必要ではない。実際、因数Ｌは、トランスポートチャネル複合体速度が最大である際に挿入されるＤＴＸ記号の数が最小である態様で、Ｎdataの関数として最大にされる。したがって、Ｎdataが十分に大きいためＬ因数が最大である際に等式（７）が満たされるので、変分ΔＮを定めるためＰiパラメータまたは、パンクチャリング限界を与える何らかの他のパラメータ（たとえばＬＭＩＮ）を知る必要はない。必要なのは、対応（Ｎ、ΔＮ）を計算するのに用いられる方法がＬ因数を最大にすることだけであり、換言すれば、この方法がトランスポートチャネル複合体の最大速度に対して挿入されるＤＴＸ記号の数を最小にすることだけである。しかしながら、このことは、Ｐi、ＰＬまたはＬＭＩＮパラメータの値が交渉されないという意味ではない。これは単に、この発明に従って対応（Ｎ、ΔＮ）を計算するのに必要なのは、パラメータ｛ＲＭi｝の値以外に最大物理速度Ｎdataの値を知っていることだけであるという意味である。
【０１２４】
このため、ｌがトランスポート形式組合せの添数であり、かつこのトランスポート形式組合せにおいてコード化トランスポートチャネルｉがトランスポート形式添数ｊのものである場合（すなわちｊ＝ＴＦi（ｌ））、形式ｊを有するコード化トランスポートチャネルｉにおける添数ｋを有する各コード化ブロックに対し（すなわちｋ∈ＣＢＳ（ｉ、ｊ））、Ｎk＋ΔＮkがセグメント化ステップ１２２以前の記号の数であるならば、このステップの終わりにおいてセグメントは
【０１２５】
【数２９】
2010081643.tif 000040
【０１２６】
個以下の記号を有することとなる。この結果、すべてのコード化トランスポートチャネルｉ∈｛１、…、Ｔ｝および添数ｌを有するトランスポート形式組合せに対するコード化トランスポートチャネルｉに対して、ｋ∈ＣＢＳ（ｉ、ＴＦi（ｌ））であるすべてのｋタイプのコード化ブロックを考慮する際に、トランスポート形式組合せｌの多重化フレームにおける記号の総数Ｄ（ｌ）は次の和以下に等しいと推論される。
【０１２７】
【数３０】
2010081643.tif 000041
【０１２８】
さらに、専用物理データチャネルの速度限界から、次の式が得られる。
【０１２９】
【数３１】
2010081643.tif 000042
【０１３０】
Ｎdata−Ｄ（ｌ）は、トランスポート形式組合せｌに対してステップ１３２において挿入されるＤＴＸ記号の数であることに注意されたい。
【０１３１】
トランスポートチャネル複合体速度が最大である際にステップ１３２において挿入されるＤＴＸ記号の数を最小にする必要があるため、次の式が必要となる。
【０１３２】
【数３２】
2010081643.tif 000043
【０１３３】
また、この発明によれば、ｋのいずれかの値に対する変分ΔＮkの計算には主に３つの相が含まれる。第１相において、等式（１１）を満たすようにΔＮktempで示される一時変分が計算される。第２相において、これらの一時変分は関係（１０）を満たすように「グローバル」修正ステップによって修正され、第３相において最終変分が、これらに、得られた最も最近の一時変分を割当てることによって生成される。これらの３つの相は、変分ΔＮkを計算するための３つの異なる方法を示す図３、図４および図５に示される。同一のステップはこれらの図の各々において同じ参照番号で示される。
【０１３４】
第１相：一時変分の計算
【０１３５】
【数３３】
2010081643.tif 000044
【０１３６】
がｋ∈ＣＢＳ（ｉ、ｊ）のすべての値に対して真であることに注意されたい。等式（５）によれば、以下のように書くことができる。
【０１３７】
【数３４】
2010081643.tif 000045
【０１３８】
この等式の右側の項は、トランスポート形式組合せｌのための複合体ＣＣＴｒＣＨの速度推定量である。そこで、この等式（１２）を用いて、等式（１１）を満たすように等式（１０）で表わされる拘束の下で最大化された因数Ｌの近似値を求めることができる。図３に示される第１の実施例によれば、この値は以下の等式で与えられる。
【０１３９】
【数３５】
2010081643.tif 000046
【０１４０】
等式（１３）の右側の項における分母がトランスポート形式組合せのための複合体ＣＣＴｒＣＨの速度推定量の最大値であり、Ｌ＝１であると仮定して（これはＲＦ1＝ＲＭiであると偽って仮定することに等しい）計算されることに注意されたい。
【０１４１】
この計算ステップは図３において３０１で示される。Ｎdataパラメータの送信は図３において３００Ａで示されることに注意されたい。同様に、パラメータ
【０１４２】
【数３６】
2010081643.tif 000047
【０１４３】
の送信および記号の数
【０１４４】
【数３７】
2010081643.tif 000048
【０１４５】
の送信はそれぞれ３００Ｂおよび３００Ｃで示される。
次に、ステップ３０２において、等式（５）および等式（１３）を用いてさまざまな速度一致比ＲＦiの値を定める。
【０１４６】
次に、たとえば以下の等式を用いてステップ３０３において各タイプｋに対する一時変分ΔＮktempが定められる。
【０１４７】
【数３８】
2010081643.tif 000049
【０１４８】
変形として、等式（１４）を以下に示す等式（１４ｂｉｓ）で置き換えてもよい。この等式の有する利点は、セグメント化ステップ１２２（図１）の初めに与えられる速度一致の後の記号の数Ｎk＋ΔＮk（ΔＮk＝ΔＮktempであると仮定する）が、生成すべきセグメントの数Ｆiの倍数であることである。このため、同じブロックから生じるすべてのセグメントは同じ数の記号を有し、これにより、ＴＴＩ間隔の間記号の数が変動しないためレシーバが簡略化される。
【０１４９】
【数３９】
2010081643.tif 000050
【０１５０】
【数４０】
2010081643.tif 000051
【０１５１】
また、近似を行なうことによって因数Ｌおよび速度一致比ＲＦiを計算することを考えるのも可能であろう。これはたとえば、小数点の後の桁の数が限られた固定の小数点としてＬおよび／またはＲＦiを表わすことによってなされる。この実施例は図４に示される。
【０１５２】
このように変形として、ステップ４０１において以下の等式を用いて因数Ｌを計算する。
【０１５３】
【数４１】
2010081643.tif 000052
【０１５４】
ここで、ＬＢＡＳＥは整数定数であり、たとえば２nなどの２の累乗であり、ここでｎは小数点の後のＬ因数におけるビットの数である。
【０１５５】
次のステップ４０２において以下の等式を用いて速度一致比ＲＦiが計算される。
【０１５６】
【数４２】
2010081643.tif 000053
【０１５７】
ここで、ＲＦＢＡＳＥは整数定数であり、たとえば２nなどの２の累乗であり、ここでｎはＲＦiにおける小数点の後のビットの数である。
【０１５８】
等式（５）および等式（１４）に対するのと同様に、等式（５ｂｉｓ）および等式（１４ｂｉｓ）における
【０１５９】
【数４３】
2010081643.tif 000054
【０１６０】
関数はいずれかの別の丸め関数で置き換えることができる。
図５に示される第３の実施例によれば、分子および分母において、（たとえば｛ＲＭi｝またはＮdataなどの）既知のデータに依存する係数を用いて因数Ｌの式が変形される。このことは、因数Ｌの式が近似を用いる程度に、計算された値に影響を与え得る。たとえば、以下の等式を用いることができる。
【０１６１】
【数４４】
2010081643.tif 000055
【０１６２】
次に、速度一致比ＲＦiが等式（５）または等式（５ｂｉｓ）を用いて計算される。
要約すると、一時変分ΔＮktempが計算される相は以下のステップを含む。
【０１６３】
１．因数Ｌを最大物理速度ＮdataおよびＲＭiパラメータの関数として計算する（ステップ３０１、４０１または５０１）。
【０１６４】
２．各コード化トランスポートチャネルｉに対する速度一致比ＲＦiを、ＲＭiパラメータおよび因数Ｌの関数として計算する（ステップ３０２、４０２または５０２）。
【０１６５】
３．コード化トランスポートチャネルｉにおける各ｋタイプのコード化ブロックに対し、一時変分ΔＮktempを速度一致以前の記号の数Ｎkおよび速度一致比ＲＦiの関数として計算する（ステップ３０３）。
【０１６６】
第２相：一時変分のグローバル修正
この第２相においては、反復検査を実行し、添数ｌを有する各トランスポート形式組合せに対し、ＣＣＴｒＣＨ複合体のための多重化フレーム当りの記号の数Ｄtemp（ｌ）が最大物理速度Ｎdata以下であることを確かめる。ここでＤtemp（ｌ）は一時変分ΔＮktempの現在の値を用いて定められ、言い換えると、初めは第１相において定められる変分によって、次に第２相において計算された最も最近の一時変分によって定められる。必要であれば、一時変分ΔＮktempの値は修正される。このステップはまた、すべてのトランスポート形式組合せｌに対するグローバル一時変分修正ステップとも称される。このステップは図３、図４および図５において参照番号３０８で示される。
【０１６７】
等式（９）を一時変分ΔＮktempで書直すと、複合体の一時速度Ｄtemp（ｌ）の以下の式が得られる。
【０１６８】
【数４５】
2010081643.tif 000056
【０１６９】
この計算は、図３、図４および図５におけるステップ３０４において実行される。前に述べたように、この第２相は添数ｌを有する各トランスポート形式組合せに対し、Ｄtemp（ｌ）≦Ｎdataであることを意味する。
【０１７０】
Ｄtemp（ｌ）＞Ｎdataである態様でトランスポート形式組合せｌが検出されるたびに、いくつかの一時変分ΔＮktempの値が「部分修正」ステップによって修正される。すなわち、いくつかの一時変分ΔＮktempの値がこのステップにおいて減じられるため、複合体の一時速度Ｄtemp（ｌ）は修正後には最大物理速度Ｎdataより小さい。
【０１７１】
複合体の一時速度Ｄtemp（ｌ）が一時変分ΔＮktempに依存する増加関数であることを考えると、添数ｌを有するトランスポート形式組合せに適用される部分修正は、以前のトランスポート形式組合せに対して既になされた確認の結果を変えるものではない。このため、前に確かめられた組合せに対してＤtemp（ｌ）≦Ｎdataであることを再び検査することには意味がない。
【０１７２】
第２相は以下のアルゴリズムで要約することができる。
【０１７３】
【数４６】
2010081643.tif 000057
【０１７４】
最大物理速度Ｎdataが複合体の一時速度Ｄtemp（ｌ）と比較されるステップと、一時変分ΔＮktempが部分的に修正されるステップとは、図３、図４および図５においてそれぞれ３０５および３０６で示される。最終変分ΔＮkは第２相の終わりにおいて得られる一時変分ΔＮktempである。この割当てステップが第３相を形成する。
【０１７５】
次に、上述のアルゴリズムの第３行に述べた一時変分ΔＮktempの部分修正ステップについて説明する。部分修正の説明の以下の部分では、用いられるすべての表記はトランスポート形式組合せの現在の添数ｌに適用可能である。表記を簡略化するため、ｌを新しい式に必ずしも示していない。
【０１７６】
ＭＢＳ（ｌ）がトランスポート形式組合せｌに対するコード化ブロック添数のセットであることを思い起こされたい。換言すると、以下の式が得られる。
【０１７７】
【数４７】
2010081643.tif 000058
【０１７８】
ＵをＭＢＳ（ｌ）の要素の数とする。ＭＢＳ（ｌ）は整数のセットであるため、整数の標準順序に順序付けられる。このため、｛１、…、Ｕ｝からＭＢＳ（ｌ）への狭義の増加単調全単射を規定することが可能である。この場合、以下の式が得られる。
【０１７９】
【数４８】
2010081643.tif 000059
【０１８０】
たとえば、｛１、…、Ｕ｝からＭＢＳ（ｌ）への別の全単射など、変形として他のどの順序付け規則を用いてもよいことに注意されたい。（Ｋ（１）、…、Ｋ（Ｕ））は順序付けられたリストを規定する。同様に、ＭＢＳ（ｌ）における添数ｋを有するすべてのコード化ブロックに対し、ｋ∈ＣＢＳ（ｉ、ＴＦi（ｌ））となる、添数ｌを有するトランスポート形式組合せに対するこのコード化ブロックを生成するコード化トランスポートチャネルｉが１つ存在する。このため、添数ｋ＝Ｋ（ｘ）を有する各コード化ブロックに対し、ｋ∈ＣＢＳ（ｉ、ＴＦi（ｌ））となる、添数ｉ＝Ｉ（ｘ）を有する単一のトランスポートチャネルを識別する、｛１、…、Ｕ｝から｛１、…、Ｔ｝の応用Ｉを単一義に規定することが可能である。
【０１８１】
このため、ｍ∈｛１、…、Ｕ｝のすべての値に対し、Ｕに等しいｍと、総和ＳUと、ｍ
の関数として増加する係数Ｚmとに対して、
【０１８２】
【数４９】
2010081643.tif 000060
【０１８３】
となる態様で部分和Ｓmを規定することができる。
いずれのコード化トランスポートチャネルｉに対しても同様に、８は、コード化トランスポートチャネルｉにおけるＴＴＩ間隔内の多重化フレームの数として表わされる持続時間Ｆiの倍数であり、よって、部分和Ｓmは近似を行なうことなく小数点の後に３ビットを有する固定の小数としてコード化することができる。
【０１８４】
変形として、等式（１７）における
【０１８５】
【数５０】
2010081643.tif 000061
【０１８６】
丸め関数は何らかの他の増加単調丸め関数で置き換えてもよい。
Ｚ0＝０であると仮定して、次に中間変分ΔＮknewと称する新しい変分を規定し、これによってトランスポート形式組合せｌに対して用いられる一時変分ΔＮktempを置き換えることができる。これらの中間変分ΔＮK(x)newは以下の等式によって得られる。
【０１８７】
【数５１】
2010081643.tif 000062
【０１８８】
要約すると、一時変分ΔＮktempは以下のアルゴリズムを用いて部分的に修正される。
【０１８９】
【数５２】
2010081643.tif 000063
【０１９０】
アルゴリズムの３行目の←は、ΔＮK(x)tempの値が変り、これがΔＮK(x)newの値で置き換えられることを意味するのに注意されたい。
【０１９１】
この部分修正ステップは図６に示される。第１のステップ６０１では、中間変分ΔＮK(x)newが計算され、次にこれはステップ６０２において対応する一時変分ΔＮK(x)tempの値と比較される。ΔＮK(x)temp＞ΔＮK(x)newである場合、中間変分ΔＮK(x)newの値がステップ６０３において一時変分ΔＮK(x)tempに割当てられ、さらに次のステップ６０４が実行される。ΔＮK(x)temp＜ΔＮK(x)newである場合、次のステップ６０４が直接実行される。このステップ６０４では、ｘが値Ｕに等しいかどうかが検査される。等しくない場合、ｘはステップ６０５において増分され、次にｘのこの新しい値によってステップ６０１が再び実行される。ｘがＵに等しい場合、部分修正ステップは終了される。
【０１９２】
第３相：最終変分の決定
この第３相において、最終変分ΔＮkの値は第２相からの一時変分ΔＮktempの値であることを思い起こされたい。この相は図３、図４および図５におけるステップ３０７に対応する。したがって、複合体の最終速度Ｄ（ｌ）の値は所与のトランスポート形式組合せｌに対し、等式（９）によって与えられる値に等しい。
【０１９３】
ブラインド速度検出を可能にするため、「固定サービス位置」の手法には、ステップ１１６においてＤＴＸ記号が挿入され、このステップ１１６の終わりにおける速度（ＤＴＸ記号を含む）が一定であるようにするステップが含まれる。
【０１９４】
したがって、チャネルの符号化の後に続くすべてのステップは現在の速度とは無関係に実行される。したがって受信において、逆多重化およびデインターリービングのステップなどは現在の速度を知ることなく前もって実行できる。その後現在の速度がチャネルデコーダによって検出される（これはチャネルエンコーダによって行なわれるオペレーション１０８の逆を行なう）。
【０１９５】
速度一致のステップ１１８の逆のステップが現在の速度とは無関係なものであるために、パンクチャリングパターンまたは反復パターンは速度、すなわち、コード化ブロックの数および各々における記号の数Ｎとは無関係でなければならない。
【０１９６】
このため、まず、固定サービス位置の場合、ＴＴＩ間隔当り１より大きい数のコード化ブロックが存在することは決してなく、実際、コード化ブロックの欠如が記号を含まないコード化ブロックの存在に等しいものであると仮定すると、常に１つ存在すると考えられる。したがって、ブロックの数は速度の関数として変動しない。
【０１９７】
最適パンクチャリング／反復パターンは、それぞれ速度一致以前の記号の数と速度一致による変分とを与えるＮおよびΔＮパラメータに依存する。このため、これらの２つのパラメータは速度とは無関係なパターンを得るために一定である必要があり、換言すると速度一致ステップ１１８は、ＤＴＸ記号が挿入されるステップ１２２の後に置かれるべきである。しかしながら、すべてのＤＴＸ記号が同一のであるため、これらをパンクチャリングするまたは予め定められた位置において反復すると不必要に複雑になる（ブロックにおいて最後のＤＴＸ記号をパンクチャリングまたは反復することによって同じ結果が達成でき、この方がより容易に実現できる）。このため、速度一致ステップ１１８およびＤＴＸ記号挿入ステップ１２２は図１に示されるようにこの順で実行されるが、反復／パンクチャリングパターンは複合体がその最大速度にある場合に対してのみ定められることと決められた。このようにして得られたパターンはより低い速度に対しては打切られる。
【０１９８】
先行技術では固定サービス位置と不定サービス位置とは２つの互いに排他的な手法であることに注意されたい。この発明では、いくつかのトランスポートチャネルを固定サービス位置とし、他のチャネルを不定サービス位置とすることが可能である。これにより、固定サービス位置にあるトランスポートチャネルに対してのみブラインド速度検出を行ない、他のトランスポートチャネルに対して明示的速度情報を用いて速度検出を行なうことが可能となる。したがって、明示的速度情報ＴＦＣＩは不定サービス位置におけるトランスポートチャネルに対する現在のトランスポート形式のみを示す。この結果、ＴＣＦＩ送信にはより低い能力が必要となる。
【０１９９】
固定サービス位置および不定サービス位置が組合されている場合、いくつかの複合トランスポートチャネルは固定サービス位置にあり、他のものは不定サービス位置にある。ＤＴＸ記号が挿入されるステップ１１６は、固定サービス位置におけるコード化トランスポートチャネルに対してのみ存在しており、不定サービス位置にある他のトランスポートチャネルに対しては欠けている。さらに、ＤＴＸ記号挿入ステップ１３２は、固定サービス位置における少なくとも１つのコード化トランスポートチャネルがある場合には存在するが、そうでなければ欠けている。
【０２００】
多重化フレームおよびその関連付けられるＴＦＣＩの受信において、レシーバはチャネル符号化の後に続くものの逆のステップをすべて実行してもよい。ＴＦＣＩ情報により、レシーバに不定サービス位置におけるコード化トランスポートチャネルの符号化形式が与えられ、固定サービス位置におけるトランスポートチャネルに対してはレシーバはこれらが最高速度のトランスポート形式であるかのように作用する。
【０２０１】
この発明では、反復／パンクチャリングパターンはコード化トランスポートチャネルが固定サービス位置にあるか不定サービス位置にあるかにかかわらず２つのパラメータＮおよびΔＮに依存する。しかしながら、不定サービス位置においては、ＮおよびΔＮはそれぞれ、速度一致以前の記号の数と速度一致ステップ１１８におけるこの数の変分とに対応しており、一方、固定サービス位置においては、これらはコード化トランスポートチャネル速度が最大ではない際にパンクチャリングパターンを定めるのに用いられる２つの「偽りの」パラメータでしかない。換言すると、これらの２つのパラメータは、速度を一致すべきブロックのサイズと、コード化トランスポートチャネルの速度が最大である際の速度一致の後のその変分とに対応する。
【０２０２】
コード化トランスポートチャネルの速度が最大でない場合、パンクチャリング／反復パターンは打切られる。このパターンは実際にはパンクチャリング／反復すべき記号位置のリストである。打切り（truncating）は、このリストにおける初めのいくつかの要素、すなわち速度を一致させるべきブロックにおける実位置のみを考慮することを含む。
【０２０３】
したがって、この発明によれば、固定サービス位置におけるコード化チャネルが少なくとも１つある場合には、速度一致パラメータは、固定サービス位置におけるコード化トランスポートチャネルがその最大速度にあると偽って見なすことを除いて、すべてのコード化トランスポートチャネルが不定サービス位置にある場合と同じ態様で定められる。
【０２０４】
図２の例を考慮し、コード化トランスポートチャネルＤが固定サービス位置にあり、トランスポートチャネルＡ、ＢおよびＣが不定サービス位置にあると仮定する。以下の表にはこの例に対するトランスポート形式組合せのリストが示される。
【０２０５】
【表１０】
2010081643.tif 000064
【０２０６】
速度一致構成パラメータは、すべての要素を最高速度のためのトランスポート形式、すなわち添数３を有するトランスポート形式に設定することによって、コード化トランスポートチャネルＤに対応するこの表における縦列を偽って置き換える先のステップをさらに含むことを除いて、不定サービス位置に対してなされるのと同じ態様で計算される。これにより以下の「偽りの」表が得られる。この表において、変更された、「偽りの」トランスポート形式に対応するボックスは（＊）で示される。
【０２０７】
【表１１】
2010081643.tif 000065
【０２０８】
定義上、固定サービス位置におけるコード化トランスポートチャネルｉはＴＴＩ間隔当り１つ以下のコード化ブロックを有する（∀ｊ∈ＴＦＳ（ｉ）  ＣＢＳ（ｉ，ｊ）は１つ以下の要素を有する）。
【０２０９】
さらに、この発明では、固定サービス位置におけるコード化トランスポートチャネルに対するコード化ブロックが存在しなければ、ブロックの欠如をゼロサイズのブロックの存在に等しいものとする慣例により添数を付けることとなる態様で、コード化ブロックサイズに添数を付けることと仮定する（すなわち、添数ｋはＮk＝０で割当てられ、よって、∀ｊ∈ＴＦＳ（ｉ）  ＣＢＳ（ｉ，ｊ）は少なくとも１つの要素を有する）。
【０２１０】
前述の仮定により、既に説明した一時変分ΔＮktempの計算における第１相は、固定サービス位置においてコード化トランスポートチャネルが少なくとも１つ存在する場合には以下のステップの後に行なわれなければならない。
【０２１１】
【数５３】
2010081643.tif 000066
【０２１２】
５番目の命令は、コード化トランスポートチャネルｉがその最大速度にあると偽って見なされることを意味しており、その実際の速度（Ｎk）は以下に示すその最大速度によって置き換えられる（←）。
【０２１３】
【数５４】
2010081643.tif 000067
【図１】
2010081643.tif 000068
【図２】
2010081643.tif 000069
【図３】
2010081643.tif 000070
【図４】
2010081643.tif 000071
【図５】
2010081643.tif 000072
【図６】
2010081643.tif 000073